(57)【特許請求の範囲】
【請求項１】
使用時に少なくとも熱若しくは気体の一方を排出する電気機器を配置可能な収納部を有するキャビネット本体と、前記電気機器に電力を供給する電力供給手段と、前記収納部の正面側を開閉可能な開閉扉と、該開閉扉が前記収納部を閉塞したことを検知し、前記電力供給手段からの前記電気機器への電力の供給を停止させる扉検知手段と、を備え、
前記扉検知手段を前記収納部外に設置したことを特徴とする家電収納キャビネット。
【請求項２】
前記キャビネット本体には、前記収納部を分割して仕切る仕切板が設けられており、仕切板の前端部には、前記扉検知手段が設けられ、該扉検知手段は、前記開閉扉が前記収納部を閉塞したときに前記開閉扉に接触することで、該開閉扉を検知することを特徴とする請求項１に記載の家電収納キャビネット。
【請求項３】
前記キャビネット本体には、前記収納部を分割して仕切る仕切板が設けられており、仕切板の前端部には、前記扉検知手段が設けられ、前記扉検知手段は、前記開閉扉に設けられた凸部に押圧されることで該開閉扉の閉塞を検知することを特徴とする請求項１に記載の家電収納キャビネット。
【請求項４】
前記収納部の正面側を開閉可能な前記開閉扉は、前記収納部の正面側から近接して、該収納部を閉塞することを特徴とする請求項２または３に記載の家電収納キャビネット。
【請求項５】
前記扉検知手段は、前記仕切板の前端部より後方に設けられていることを特徴とする請求項３または４に記載の家電収納キャビネット。
【請求項６】
前記電気機器から排出される気体は水蒸気であって、前記キャビネット本体には、前記水蒸気を吸引した後に、前記キャビネット本体外に排気する蒸気処理装置が設けられていることを特徴とする請求項１ないし５のいずれかに記載の家電収納キャビネット。
【発明の詳細な説明】
【技術分野】
【０００１】
本発明は、家庭のキッチン等で用いられる家電収納キャビネットに関する。
【背景技術】
【０００２】
従来、電源コンセントと、使用時に水蒸気（気体）を発する家電製品（電気機器）を載置する棚（仕切板）を複数段備え、これら棚の正面側を閉塞するとともに、上方に退避可能なシャッター（開閉扉）が設けられた家電収納キャビネットがある。このような家電収納キャビネットにおいては、各棚の下端付近にシャッターを検知するリミットスイッチ（扉検知手段）が配置されており、このリミットスイッチが棚の正面を閉塞するシャッターに当接することを条件に電源コンセントへの電力の供給が止められるようになっており、閉塞された棚内での水蒸気を発する家電製品の使用を防止している（例えば、特許文献１参照）。
【０００３】
【特許文献１】特開２００７−３２５８０１号公報（第５頁、第１図）
【発明の開示】
【発明が解決しようとする課題】
【０００４】
しかしながら、特許文献１に記載の家電収納キャビネットにあっては、リミットスイッチ（扉検知手段）は水蒸気（気体）を発する家電製品（電気機器）とともに棚（仕切板）に配置されているため、水蒸気を発する家電製品を使用する場合には、劣化しないよう、高温・高湿に耐えうる構造とせざるをえず、製造コストが嵩んでしまうという問題があった。
【０００５】
本発明は、このような問題点に着目してなされたもので、特別な構造を有することなく、安価な構成により電気機器への電力の供給を切り換えることができる家電収納キャビネットを提供することを目的とする。
【課題を解決するための手段】
【０００６】
前記課題を解決するために、本発明の請求項１に記載の家電収納キャビネットは、
使用時に少なくとも熱若しくは気体の一方を排出する電気機器を配置可能な収納部を有するキャビネット本体と、前記電気機器に電力を供給する電力供給手段と、前記収納部の正面側を開閉可能な開閉扉と、該開閉扉が前記収納部を閉塞したことを検知し、前記電力供給手段からの前記電気機器への電力の供給を停止させる扉検知手段と、を備え、
前記扉検知手段を前記収納部外に設置したことを特徴としている。
この特徴によれば、キャビネット本体において扉検知手段を収納部外に設置したことで、扉検知手段は電気機器から排出される熱や気体の影響を受けることがないので、扉検知手段を熱や気体の影響による劣化を防ぐための構造とする必要が無く、安価に電気機器への電力供給の有無の切り換えを行うことができる家電収納キャビネットを製造することができる。
【０００７】
本発明の請求項２に記載の家電収納キャビネットは、請求項１に記載の家電収納キャビネットであって、
前記キャビネット本体には、前記収納部を分割して仕切る仕切板が設けられており、仕切板の前端部には、前記扉検知手段が設けられ、該扉検知手段は、前記開閉扉が前記収納部を閉塞したときに前記開閉扉に接触することで、該開閉扉を検知することを特徴としている。
この特徴によれば、収納部が開閉扉によって完全に閉塞されると、扉検知手段が開閉扉に接触することで電源供給手段から電気機器への電力の供給を停止するので、確実に電気機器への電力の供給を停止することができる。
【０００８】
本発明の請求項３に記載の家電収納キャビネットは、請求項１に記載の家電収納キャビネットであって、
前記キャビネット本体には、前記収納部を分割して仕切る仕切板が設けられており、仕切板の前端部には、前記扉検知手段が設けられ、前記扉検知手段は、前記開閉扉に設けられた凸部に押圧されることで、前記開閉扉の閉塞を検知することを特徴としている。
この特徴によれば、扉検知手段は、凸部に押圧されることで、明確に開閉扉の閉塞を検知することができるので、開閉扉の閉塞の検知の確実さを確保することができる。
【０００９】
本発明の請求項４に記載の家電収納キャビネットは、請求項２または３に記載の家電収納キャビネットであって、
前記収納部の正面側を開閉可能な前記開閉扉は、前記収納部の正面側から近接して、該収納部を閉塞することを特徴としている。
この特徴によれば、収納部の閉塞時に開閉扉を仕切板の前端部に向かって当接させることができるので、収納部を開閉扉によって閉塞させる動作のみで確実に電気機器への電力の供給を停止することができる。
【００１０】
本発明の請求項５に記載の家電収納キャビネットは、請求項３または４に記載の家電収納キャビネットであって、
前記扉検知手段は、前記仕切板の前端部より後方に設けられていることを特徴としている。
この特徴によれば、扉検知手段に開閉扉以外の物体が直接押圧する虞を少なくし、誤動作を防止することができる。
【００１１】
本発明の請求項６に記載の家電収納キャビネットは、請求項１ないし５のいずれかに記載の家電収納キャビネットであって、
前記電気機器から排出される気体は水蒸気であって、前記キャビネット本体には、前記水蒸気を吸引した後に、前記キャビネット本体外に排気する蒸気処理装置が設けられていることを特徴としている。
この特徴によれば、収納部内に電気機器を収納したまま、電気機器から排出される水蒸気を収納部内から排気することができるので、収納部内の黴等の発生を抑えて清潔に保つことができる。
【発明を実施するための最良の形態】
【００１２】
本発明に係る家電収納キャビネットを実施するための最良の形態を実施例に基づいて以下に説明する。
【実施例】
【００１３】
本発明の実施例を図面に基づいて説明すると、先ず図１は、本発明の実施例における家電収納キャビネットの全体像を示す斜視図であり、図２は、家電収納キャビネットを示す縦断側面図であり、図３は、切換装置を示す要部拡大縦断側面図であり、図４は、切換装置を示す平面図であり、図５は、家電収納キャビネットの配線構成を示す回路図である。以下、図２および図３の紙面左側を家電収納キャビネットの正面側とし、図４の紙面下方を家電収納キャビネットの正面側として説明する。
【００１４】
図１の符号１は、本発明の適用された家電収納キャビネットである。この家電収納キャビネット１は、例えば、各家庭のキッチン内に設置されて使用されるキャビネットである。この家電収納キャビネット１は、略筐体形状のキャビネット本体２を備えており、このキャビネット本体２内には、キッチンで使用される炊飯器やコーヒーメーカー等の電気機器が収納可能となっている。
【００１５】
また、キャビネット本体２内に収納されたスチームレンジ３は、キャビネット本体２に取り付けられた開閉扉４を、キャビネット本体２に対して開放することで電力が供給されて使用可能となるが、開閉扉４をキャビネット本体２に対して閉塞すると電力の供給が停止して使用不可能となる。
【００１６】
上述の家電収納キャビネット１について図１及び図２に基づき詳述する。この家電収納キャビネット１を構成するキャビネット本体２は、左右の側板５，５と、天板６と、背板７と、により構成されており、正面側に開口を有し、キャビネット本体２内部は、側板５，５と、天板６と、背板７と、により囲まれた収納部８に形成されている。
【００１７】
この収納部８には、上下方向に複数（本実施例では２枚）の本実施例における仕切板としての棚板９が、側板５，５間に渡設されることで取り付けられている。これら棚板９，９によって収納部８は上方収納部８ａと、下方収納部８ｂに分割されている。更に、上方収納部８ａには使用時に熱や蒸気を排出する本実施例における電気機器としてのスチームレンジ３が収納されており、下方収納部８ｂには電気機器としての電気炊飯器や、電気ポット、コーヒーメーカー等を収納可能となっている。
【００１８】
特に、下方収納部８ｂの上部には、下方収納部８ｂに収納された電気機器から排出される蒸気を吸引した後に、家電収納キャビネット１の正面側に排気を行う蒸気処理装置１７が設けられている。
【００１９】
尚、図２に示すように、上方収納部８ａ内である背板７には、スチームレンジ３に電力を供給するための本実施例における電力供給手段としての電源コンセント１０が設けられている。そして、この電源コンセント１０からは、キャビネット本体２の背面側から先端部に電源プラグ１１が設けられた配線１２ａ，１２ｂが延設されている。この電源プラグ１１が外部の図示しない交流電源に接続されることによって、スチームレンジ３に交流電力を供給できるようになっている。
【００２０】
更に尚、図３に示すように、スチームレンジ３が載置されている棚板９の上面は薄く形成されたステンレス板１３により被覆されている。このステンレス板１３は、棚板９を後端部から前端部にかけて被覆しており、棚板９の前端部から突出したステンレス板１３は下方に向けて折り曲げられ、棚板９の前端面を被覆している。そして、図１及び図３に示すように、この棚板９の前端面を被覆するステンレス板１３の前端面には開口部１３ａが形成されている。
【００２１】
また、上方収納部８ａ外であるスチームレンジ３が載置されている棚板９の下面には、本実施例における扉検知手段１６を備えた切換装置１４がネジに螺着されることで取り付けられている。この切換装置１４は、扉検知手段１６の検知動作に応じて後述するリミットスイッチ１５を介してスチームレンジ３への交流電力の供給を切り換える装置であり、その前端部はステンレス板１３と略同一となるように開口部１３ａに挿嵌されている。
【００２２】
図２に示すように、キャビネット本体２には開閉扉４が上下２つ取り付けられており、それぞれ棚板９，９によって分割された上方収納部８ａ及び下方収納部８ｂを開放・閉塞可能となっている。詳しくは、これら開閉扉４，４は、上方収納部８ａ及び下方収納部８ｂを閉塞する扉板４ａの背面の左右端と、キャビネット本体２の左右側板５，５の内側面をリンクアーム４ｂ，４ｂによって連結することで、上方収納部８ａ及び下方収納部８ｂの上方または下方に退避可能となっている。
【００２３】
また、上方収納部８ａを閉塞する開閉扉４の扉板４ａの下端部には、扉板４ａの左右方向に沿って使用者が収納部８を開放する際に掴む把手４ｃが取り付けられており、同一の把手４ｃが、下方収納部８ｂを閉塞する開閉扉の扉板４ａの上端部にも取り付けられている。そして、上方収納部８ａ及び下方収納部８ｂの閉塞時には、把手４ｃを掴み、開閉扉４を家電収納キャビネット１の上下方向中央に向けて押圧することで、上方収納部８ａ及び下方収納部８ｂを正面側から閉塞する。
【００２４】
更に、図３に示すように、上方収納部８ａを閉塞する開閉扉４の扉板４ａに取り付けられた把手４ｃの背面には、上方収納部８ａの閉塞時に切換装置１４の扉検知手段１６と対向するように背面側に突出する凸部４ｄが設けられている。
【００２５】
次に、切換装置１４について説明する。図３及び図４に示すように、切換装置１４は、スイッチケース１４ａと、このスイッチケース１４ａに収納されたリミットスイッチ１５と、リミットスイッチ１５を押圧操作可能な扉検知手段１６と、で構成されている。スイッチケース１４ａは、内部が中空に形成されているとともに、下方に向かって開口しており、リミットスイッチ１５は、スイッチケース１４ａの下方の開口から、スイッチケース１４ａの内側上面に螺着されることで取り付けられている。
【００２６】
また、スイッチケース１４ａの正面には、押圧孔１４ｂが形成されている。この押圧孔１４ｂには、開閉扉４の凸部４ｄに押圧される扉検知手段１６を構成する押圧部１６ａが前後に摺動可能に配置されている。
【００２７】
更に、押圧孔１４ｂの後方であるスイッチケース１４ａの内部には、押圧部１６ａの前後摺動の正面側への摺動範囲を規制する段部１４ｃが形成されており、押圧部１６ａの後端部には、段部１４ｃに当接する規制片１６ｂに形成されている。
【００２８】
このため、押圧部１６ａの前後摺動範囲は、スイッチケース１４ａの前端面と面一となる位置から、背面側の所定位置までに規制されている。尚、押圧部１６ａは図示しないコイルバネ等の付勢手段によって正面側に向かって付勢されている。
【００２９】
更に尚、上述したリミットスイッチ１５は、２つの端子１５ａ，１５ｃと、切換ボタン１５ｄと、が設けられており、切換ボタン１５ｄを押圧することで端子１５ａと端子１５ｃの接触状態・非接触状態を切り換えるスイッチである。具体的には、リミットスイッチ１５がスイッチケース１４ａ内に取り付けられた状態では、端子１５ａは、リミットスイッチ１５の背面側に設けられており、端子１５ｃは、リミットスイッチ１５の右側面側に設けられており、切換ボタン１５ｄは、リミットスイッチ１５の正面側に設けられている。
【００３０】
また、図５に示すように、端子１５ａには、配線１２ｂを介して電源プラグ１１が接続されており、端子１５ｃには、配線１２ｃを介して電源コンセント１０が接続されている。そして、上方収納部８ａが開放されている状態では、リミットスイッチ１５内で端子１５ａと端子１５ｃが接続されている。
【００３１】
更に、リミットスイッチ１５の正面側には、切換ボタン１５ｄが背面側に当接するように、正面側に鋭角を成して板状のレバー１５ｅが延設されている。このレバー１５ｅの先端には、ローラー１５ｆが設けられており、ローラー１５ｆと押圧部１６ａ背面が当接している。
【００３２】
上述したように構成した家電収納キャビネット１の動作を説明する。先ず、図２に示すように、開閉扉４が上方収納部８ａを開放している状態においては、リミットスイッチ１５内で端子１５ａと端子１５ｃが接続されているため（図５参照）、電源プラグ１１から交流電力がスチームレンジ３に供給されて、スチームレンジ３が使用可能となっている。使用状態では、スチームレンジ３内部で使用した蒸気は、スチームレンジ３の外部に排出されている。
【００３３】
そして、図３に示すように、開閉扉４によって上方収納部８ａを閉塞すると、扉板４ａの背面が棚板９の前端部に当接するとともに、開閉扉４の把手４ｃに形成された凸部４ｄが押圧部１６ａの正面に当接する。そして、開閉扉４によって上方収納部８ａを完全に閉塞すると、凸部４ｄは押圧部１６ａを背面側に押し込み、開閉扉４によって上方収納部８ａが閉塞されたことが検知される。
【００３４】
このとき、押圧部１６ａは、リミットスイッチ１５のレバー１５ｅを押し込み、レバー１５ｅの背面に当接している切換ボタン１５ｄを押圧するので、端子１５ａと端子１５ｃが非接触状態に切り換わる。
【００３５】
このため、リミットスイッチ１５で電源プラグ１１から供給される交流電力が断絶されるので、スチームレンジ３への交流電力の供給が停止する。尚、スチームレンジ３に再び交流電力を供給するためには、再び開閉扉４を上方に退避させることで上方収納部８を開放すればよい。つまり、凸部４ｄが押圧部１６ａから離間することで、押圧部１６ａが付勢手段（図示せず）の付勢力によって正面側に摺動し、リミットスイッチ１５のレバー１５ｅによる切換ボタン１５ｄの押圧が解除されるので、図５に示すように、再び端子１５ａが端子１５ｃに接続される。
【００３６】
尚、本実施例において、スチームレンジ３から排出された蒸気を上方収納部８から強制的に排気する場合は、下方収納部８の上部に設けた蒸気処理装置１７を上方収納部８の上部にも設けてもよい。その場合は、上方に退避している扉板４ａに排気した蒸気が吹きかからないよう、扉板４ａの退避位置を更に上方となるよう調整する。または、蒸気処理装置１７の蒸気の排気口を家電収納キャビネット１の上方に向ける等の処置を行う必要がある。
【００３７】
以上、本実施例における家電収納キャビネット１においては、キャビネット本体２において扉検知手段１６を上方収納部８ａ外に設置したことで、扉検知手段１６はスチームレンジ３から排出される熱や蒸気の影響を受けることがないので、扉検知手段１６を熱や蒸気の影響による劣化を防ぐための構造とする必要が無く、安価にスチームレンジ３への電力供給の有無の切り換えを行うことができる家電収納キャビネット１を製造することができる。
【００３８】
また、キャビネット本体２には、収納部８を分割して仕切る棚板９が設けられており、棚板９の前端部には、扉検知手段１６が設けられ、扉検知手段１６は、開閉扉４が収納部８を閉塞したときに開閉扉４により押し込まれることで、開閉扉４の閉塞を検知するので、収納部８が開閉扉４によって完全に閉塞されると、リミットスイッチ１５で電源コンセント１０からスチームレンジ３への電力の供給を停止することができる。
【００３９】
また、扉検知手段１６は、凸部４ｄに押圧されることで、明確に開閉扉４の閉塞を検知することができるので、開閉扉４の閉塞の検知の確実さを確保することができる。
【００４０】
また、上方収納部８ａの正面側を開閉可能な開閉扉４は、上方収納部８ａの正面側から近接して、上方収納部８ａを閉塞するので、上方収納部８ａの閉塞時に開閉扉４を棚板９の前端部に向かって当接させることができるので、上方収納部８ａを開閉扉４によって閉塞させる動作のみで確実にスチームレンジ３への電力の供給を停止することができる。
【００４１】
また、扉検知手段１６は、棚板９の前端部より後方に設ければ、切換装置１４を、棚板９の前端部に埋設して設置すれば、切換装置１４に開閉扉４以外の物体が当接することによる誤動作を防止することができる。
【００４２】
また、キャビネット本体２には、蒸気を吸引した後に、キャビネット本体２外に排気する蒸気処理装置１７が設けられているので、収納部８内にスチームレンジ３を収納したまま、スチームレンジ３から排出される蒸気を収納部８内から排気することができるので、収納部８内の黴等の発生を抑えて清潔に保つことができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、家電収納キャビネット１の収納部８に、使用時に気体としての水蒸気を排出する電気機器としてのスチームレンジ３を収納したが、使用時に電気機器から排出される気体は、湯気や煙等の微小分子が空気と混合した混合ガスを含む。
【００４５】
また、前記実施例では、押込式スイッチとしてリミットスイッチ１５を用いたが、接触によってスイッチを切り換えることができるタッチセンサであってもよく、その種類は問わない。
【００４６】
また、前記実施例では、扉検知手段１６を、開閉扉４の把手４ｃの背面に設けられた凸部４ｄが押圧部１６ａを介してリミットスイッチ１５のレバー１５ａを押し込むように構成してスチームレンジ３への交流電力の供給の有無の切り換えを行ったが、例えば、扉検知手段１６を、開閉扉４との距離が所定距離よりも短くなったことを条件にスチームレンジ３への交流電力の供給の有無を切り換える赤外線センサや、開閉扉４の把手４ｃの背面に磁石を設け、この磁石の磁力を検知することでスチームレンジ３への交流電力の供給の有無を切り換える磁力センサ等の非接触型センサを用いてもよい。
【００４７】
また、前記実施例では、家電収納キャビネット１を各家庭のキッチン内に設置されて使用されるものとして説明しているが、設置される場所は、例えば各家庭のリビング等であってもよい。
【００４８】
また、前記実施例では、開閉扉４を、扉板４ａの左右端とキャビネット本体２の左右側板５，５の内側面をリンクアーム４ｂ，４ｂによって連結することで構成し、上方収納部８ａ及び下方収納部８ｂを閉塞する際には、把手４ｃを掴み、開閉扉４を家電収納キャビネット１の上下方向中央に向けて押圧することで、上方収納部８ａ及び下方収納部８ｂを正面側から閉塞したが、扉の種類や上方収納部８ａ及び下方収納部８ｂを閉塞する方向はどの様なものであってもよい。
【００４９】
また、前記実施例では、扉検知手段１６を上方収納部８ａ外に設けたが、下方収納部８ｂ外に設けてもよく、下部収納部８ｂ外にスチームレンジ３を収納した場合には、蒸気処理装置１７により蒸気を下方収納部８ｂ内から排気することができるので、下方収納部８内の黴の発生を抑えて清潔に保つことができる。
【図面の簡単な説明】
【００５０】
【図１】本発明の実施例における家電収納キャビネットの全体像を示す斜視図である。
【図２】家電収納キャビネットを示す縦断側面図である。
【図３】切換装置を示す要部拡大縦断側面図である。
【図４】切換装置を示す平面図である。
【図５】家電収納キャビネットの配線構成を示す回路図である。
【符号の説明】
【００５１】
１                家電収納キャビネット
２                キャビネット本体
３                スチームレンジ（電気機器）
４                開閉扉
４ｄ              凸部
８                収納部
８ａ              上方収納部
８ｂ              下方収納部
９                棚板（仕切板）
１０              電源コンセント（電力供給手段）
１４              切換装置
１５              リミットスイッチ
１６              扉検知手段
１６ａ            押圧部
１７              蒸気処理装置
【図１】
0005020139.tif 000002
【図２】
0005020139.tif 000003
【図３】
0005020139.tif 000004
【図４】
0005020139.tif 000005
【図５】
0005020139.tif 000006